(57)【特許請求の範囲】
【請求項１】
給水管によってそれぞれに水が供給されるようになった給湯能力の異なる複数の給湯装置と、
給水管から供給される水および各給湯装置から供給される温水が、配管長の異なる一対の配管のいずれか一方によって供給されるようになった複数の混合水栓金具と、
前記給水管によって供給される水の圧力の調整手段とを具備し、
１の給湯装置および配管をそれぞれ選択して使用することができるとともに、給水配管によって供給される水の圧力を調整して使用し得るようになっていることを特徴とする給湯システムのシュミレーション装置。
【請求項２】
各混合水栓金具を流れる水の流量および温度がそれぞれ検出されて表示されるようになっている請求項１に記載の給湯システムのシュミレーション装置。
【発明の詳細な説明】
【０００１】
【発明の属する技術分野】
本発明は、住宅に設けられる給湯システムの給湯能力を体感するために使用されるシュミレーション装置に関する。
【０００２】
【従来の技術】
最近の住宅では、１台の給湯装置によって、住宅内における全ての箇所に給湯する給湯システムや、ガス瞬間湯沸器が採用されるようになっている。給湯システムに使用される給湯装置は、貯湯タンク内に貯えられた水を、ガスまたは電気によって加熱するようになっている。ガス式および電気式の給湯装置としては、各種の給湯能力の有するものが取り揃えられており、住宅の規模等に適した給湯能力のものが使用される。また、ガス瞬間湯沸器では、ガスによって瞬間的に加熱されるようになっている。
【０００３】
【発明が解決しようとする課題】
住宅では、通常、台所、浴室、洗面室等に給湯されるようになっているが、これらの箇所に同時に給湯するような場合には、給湯装置の給湯能力によっては、水栓金具から流れる温水の流量および温度が著しく変化するおそれがある。また、配管の長さ、供給される水の圧力等によっても、水栓金具から流れる温水の流量等が変化するおそれもある。しかしながら、給湯装置における給湯能力の差によって流量等にどのような影響があるかを判断することは容易ではない。しかも、流量変化等を数値によって示されても、その数値によってどの程度の影響があるかを把握することは困難である。
【０００４】
本発明は、このような問題に鑑みてなされたものであり、その目的は、給湯装置の能力の差等によって生じる流量変化等を実際に体感することができる給湯システムのシュミレーション装置を提供することにある。
【０００５】
【課題を解決するための手段】
本発明の給湯システムのシュミレーション装置は、給水管によってそれぞれに水が供給されるようになった給湯能力の異なる複数の給湯装置と、給水管から供給される水および各給湯装置から供給される温水が、配管長の異なる一対の配管のいずれか一方によって供給されるようになった複数の混合水栓金具と、前記給水管によって供給される水の圧力の調整手段とを具備し、１の給湯装置および配管をそれぞれ選択して使用することができるとともに、給水配管によって供給される水の圧力を調整して使用し得るようになっていることを特徴とする。
【０００６】
また、各混合水栓金具を流れる水の流量および温度がそれぞれ検出されて表示されるようになっている。
【０００７】
【発明の実施の形態】
以下、本発明の実施の形態を、図面に基づいて詳細に説明する。
図１は、本発明の給湯システムのシュミレーション装置の実施の形態の一例を示す概略正面図である。
この給湯シュミレーション装置は、垂直に配置された表示パネル１１と、この表示パネル１１の上部に水平方向に並んで取り付けられた３台のガス給湯器１３、１４、１５とを有している。また、表示パネル１１の一方の側部の背面には、給湯装置としての電気温水器１６が設けられている。各ガス給湯器１３、１４、１５と電気温水器１６には、それぞれに給水配管によって、冷却装置によって冷却された水が供給されるようになっている。また、各ガス給湯器１３、１４、１５には、供給される冷却水をガスによって加熱し得るようにガス配管が接続されており、電気温水器１６には電源から電気が供給されている。
【０００８】
ガス給湯器１３、１４、１５は、それぞれの給湯能力が異なっており、一方の側部に配置されたガス給湯器１３は、最も給湯能力が大きな３２号型になっている。中央部に配置されたガス給湯器１４は、標準の給湯能力を有する２４号型になっており、さらに、他方の側部に配置されたガス給湯器１５は、最も給湯能力の小さな１６号型になっている。電気温水器１６は、住宅の給湯システムとして使用される標準型になっている。
【０００９】
表示パネル１１における電気温水器１６が配置された側部とは反対側の側部前面には、各ガス給湯器１３〜１５および電気温水器１６を動作させるスイッチ等が設けられたスイッチ台１２が配置されており、スイッチ台１２の傾斜した上面に複数のスイッチが設けられたスイッチパネル２９が配置されている。
スイッチ台１２に隣接した表示パネル１１の下部前面には、流し用シンク２１が配置されており、流し用シンク２１には、シングルバルブ式の混合水栓金具３１と２バルブ式の混合水栓金具３２とが設けられている。また、この流し用シンク２１には、一対の洗面用シンク２２および２３が隣接して配置されており、各洗面用シンク２２および２３にはシングルバルブ式の混合水栓金具３３および３４が設けられている。さらに、洗面用シンク２３には、浴槽２４が隣接して配置されており、この浴槽２４に、一対の２バルブ式の混合水栓金具３５および３６が設けられている。浴槽２４に設けられた混合水栓金具３５および３６は、カランとシャワーとに切り換えることができるようになっている。浴槽２４には、一対のシャワーヘッド３７および３８を有するシャワー室２５が隣接して配置されている。このシャワー室２５の前面はガラス張りになっており、その底面には防水パン３９が設けられている。各シャワーヘッド３７および３８は、水栓金具を開閉操作することによって、温水が吐出されるようになっており、シャワー室２５に近接した表示パネル１１の前面に、その水栓金具を開閉するための一対の操作具２６が設けられている。流し用シンク２１、各洗面用シンク２２および２３、浴槽２４、防水パン３９には、１本の排水管２８が連結されている。
【００１０】
各混合水栓金具３１〜３６には、給水管によって供給される水が、直接または各ガス給湯器１３〜１５および電気温水器１６を介して、１５ｍの長さに配管された長配管、または５ｍの長さに配管された短配管によって、供給されるようになっている。また、各シャワーヘッド３７および３８には、各ガス給湯器１３〜１５および電気温水器１６によって加熱された水道水が、１５ｍの配管長の長配管または５ｍの配管長の短配管のいずれかを通って、供給されるようになっている。
【００１１】
各混合水栓金具３１〜３６には、流れる水の流量と温度をそれぞれ検出するセンサー（図示せず）がそれぞれ設けられており、また、水栓金具を通って各シャワーヘッド３７および３８に供給される温水の流量および温度も、センサー（図示せず）によって検出されるようになっている。
表示パネル１１の前面における各混合水栓金具３１〜３６の上方には、各混合水栓金具３１〜３６の操作によって各混合水栓金具３１〜３６を流れる水の流量と水温とをデジタル表示する表示部１８ａ〜１８ｆが、それぞれ設けられている。また、シャワー室２５内に設けられた一対のシャワーヘッド３７および３８からのシャワーを制御する各操作具２６の上方の表示パネル１１の前面にも、各操作具２６の操作によって各シャワーヘッド３７および３８を流れる温水の流量と水温とをデジタル表示する表示部１８ｇが設けられている。
【００１２】
各表示部１８ａ〜１８ｇの上方の表示パネル１１の前面には、長配管および短配管のいずれが選択されたかを示すテープライト１９が設けられている。
表示パネル１１の前面に沿って配置されている操作台１２の上面に設けられたスイッチパネル２９には、ガス給湯器１３〜１５および電気温水器１６のいずれか１つを選択的に動作させるスイッチと、長配管と短配管とのいずれか１つを選択して使用するためのスイッチと、給水管によって供給される水を所定の圧力に設定するためのスイッチとがそれぞれ設けられている。給水管によって供給される水の圧力は、０．５〜３．０ｋｇ／ｃｍ２  まで、０．５ｋｇ／ｃｍ２  間隔で６段階に設定されるようになっている。
【００１３】
表示パネル１１の前面におけるスイッチ台１２の上方には、スイッチ台１２に設けられた各スイッチによって選択された給湯装置の種類、水道水の圧力、配管の種類を表示するための表示部２７が設けられている。
図２は、本発明の給湯システムのシュミレーション装置の制御系の回路図である。給水管によって供給される水は、水圧調整ユニット４０によって所定の水圧に制御されるようになっている。水圧調整ユニット４０には、供給される水を、３．０ｋｇ／ｃｍ２  の水圧に減圧する減圧弁４１ａと、２．０ｋｇ／ｃｍ２  の水圧に減圧する減圧弁４１ｂと、１．０ｋｇ／ｃｍ２  の水圧に減圧する減圧弁４１ｃとが並列に設けられるとともに、減圧弁４２を介して、０．５ｋｇ／ｃｍ２  の水圧になるように減圧する減圧弁４１ｄと、０．２ｋｇ／ｃｍ２  の水圧になるように減圧する減圧弁４１ｅとが並列に設けられている。
【００１４】
水圧調整ユニット４０内に配置された各減圧弁４１ａ〜４１ｅには、電磁弁４３ａ〜４３ｅがそれぞれ直列に接続されており、さらに、各電磁弁４３ａ〜４３ｅに、逆止弁４４ａ〜４４ｅがそれぞれ直列に接続されている。各電磁弁４３ａ〜４３ｅは、０．５ｋｇ／ｃｍ２  、１．０ｋｇ／ｃｍ２  、１．５ｋｇ／ｃｍ２  、２．０ｋｇ／ｃｍ２  、２．５ｋｇ／ｃｍ２  、３．０ｋｇ／ｃｍ２  の６段階の各水圧に調整された水が吐出されるように、いずれか１または複数が、選択的に動作されるようになっている。各電磁弁４３ａ〜４３ｅは、それぞれ、制御装置５０によって制御されるようになっている。また、制御装置５０には、スイッチパネル２９に設けられた各スイッチが接続されるとともに、各スイッチによる選択結果が表示される表示部２７が接続されている。
【００１５】
水圧調整ユニット４０から吐出される水は、３つのガス給湯器１３〜１５および電気温水器１６に供給されるようになっている。また、水圧調整ユニット４０から吐出された水は、電磁弁５２ａおよび逆止弁５３ａと、５ｍの短配管とを介して、シャワー室２５内の各シャワーヘッド３７および３８に対する温水を制御するための水栓金具４５を除く他の各混合水栓金具３１〜３６に供給されるとともに、電磁弁５２ｂおよび逆止弁５３ｂと、１５ｍの長配管とを介して、各混合水栓金具３１〜３６に供給されるようになっている。各ガス給湯器１３〜１５および電気温水器１６に供給された水は、各ガス給湯器１３〜１５および電気温水器１６によって所定の温度に加熱された後に、各電磁弁５４ａ〜５４ｄをおよび逆止弁５５ａ〜５５ｄをそれぞれ通って、電磁弁５６ａおよび逆止弁５７ａを介して、５ｍの短配管、または、電磁弁５６ｂおよび逆止弁５７ｂを介して、１５ｍの長配管に供給される。そして、短配管または長配管を通って、各混合水栓金具３１〜３７にそれぞれ供給されるようになっている。
【００１６】
このような構成の給湯システムのシュミレーション装置では、各混合水栓金具３１〜３６、または各シャワーヘッド３７および３８のいずれか１または複数を操作することにより、実際に、水または温水が流れることになる。そして、各混合水栓金具３１〜３６または各シャワーヘッド３７および３８から流れる水または温水の流量および温度が、それぞれ表示部１８ａ〜１８ｇによってそれぞれ表示されており、それぞれの表示部１８ａ〜１８ｇによって表示される数値と、各混合水栓金具３１〜３６または各シャワーヘッド３７および３８から流れる水の流量および温度とを実際に比較して体感することができる。
【００１７】
また、給湯能力の異なるガス給湯器１３〜１５または電気温水器１６のいずれか１つを選択して動作させて、実際に、各混合水栓金具３１〜３６または各シャワーヘッド３７および３８から温水を流すことができる。従って、給湯装置における給湯能力の差によって、温水の流量および温度等にどの程度の変化が生じるかも体感することができる。この場合、複数の混合水栓金具３１〜３６を使用することによって、あるいは、水道配管の長さの変化、水道水の圧力の変化等によって、温水の流量変化および温度変化を実際に体感することができる。特に、各ガス給湯器１３〜１５、または電気温水器１６に供給される水は、冷却装置によって冷却された状態になっているために、冬季における使用状態と同様の使用状態が再現されており、各ガス給湯器１３〜１５および電気温水器１６の性能を正確に評価することができる。
【００１８】
【発明の効果】
本発明の給湯システムのシュミレーション装置は、このように、異なる給湯能力を有する給湯装置によって、複数の混合水栓金具から実際に温水を流すことができ、しかも、各混合水栓金具の流量および温度が表示部によって表示されるようになっているために、各給湯装置によって、実際の住宅での給湯の状態をシュミレーションして体感することができる。
【図面の簡単な説明】
【図１】本発明の給湯システムのシュミレーション装置の実施の形態の一例を示す概略正面図である。
【図２】その給湯システムのシュミレーション装置の制御回路図である。
【符号の説明】
１１    表示パネル
１２  スイッチ台
１３    ガス給湯器
１４    ガス給湯器
１５    ガス給湯器
１６  電気温水器
１８ａ〜１８ｇ  表示部
２１    流し用シンク
２２  洗面用シンク
２３    洗面用シンク
２４  浴槽
３１〜３６  混合水栓金具
３７  シャワーヘッド
３８  シャワーヘッド
【図１】
0003628842.tif 000002
【図２】
0003628842.tif 000003